(57)【特許請求の範囲】
【請求項１】
油圧ショベルのアームにアタッチメントを接続するためのバケットピンに取り付けられる前記アタッチメントの盗難抑止装置であって、
位置情報を取得する位置情報取得手段と、取得された前記位置情報に基づく現在位置情報を送信する通信手段と、を有する通信端末と、
前記バケットピンの一端に取り付けられることで、前記バケットピンを前記アーム及び前記アタッチメントから抜け止めするとともに、前記通信端末を覆うカバー部材と、
を備え、
前記通信端末は、前記バケットピンが前記アーム及び前記アタッチメントから引き抜かれることによって、前記カバー部材が前記バケットピンから外れた場合、前記バケットピンが引き抜かれた旨を予め定められた通知先に通知することを特徴とする盗難抑止装置。
【請求項２】
前記カバー部材の内周には、前記バケットピンの一端に形成されたネジ山と係合するネジ山が形成されていることを特徴とする請求項１に記載の盗難抑止装置。
【請求項３】
前記バケットピンに形成された貫通孔と、前記カバー部材に形成された貫通孔と、を通ることによって、前記バケットピンと前記カバー部材とをロックする施錠部を備えることを特徴とする請求項１又は２に記載の盗難抑止装置。
【請求項４】
前記施錠部は、係合穴が形成された錠本体と、前記錠本体から突出し、先端に前記係合穴と係合する係合部が形成されている施錠用ワイヤーと、を有し、
前記施錠用ワイヤーは、前記バケットピンに形成された前記貫通孔と、前記カバー部材に形成された前記貫通孔と、を通ることを特徴とする請求項３に記載の盗難抑止装置。
【請求項５】
一方が前記通信端末の先端に取り付けられ、他方が前記バケットピンの先端に取り付けられたワイヤーを備え、
前記通信端末は、前記ワイヤーが引っ張られることによって、
前記バケットピンが前記アーム及び前記アタッチメントから引き抜かれたことを検出することを特徴とする請求項１乃至４のいずれか一項に記載の盗難抑止装置。
【請求項６】
前記通信端末は、前記通知先である携帯端末に、電子メールによって通知することを特徴とする請求項１乃至５のいずれか一項に記載の盗難抑止装置。
【請求項７】
前記通信端末は、前記バケットピンが前記アーム及び前記アタッチメントから引き抜かれることによって、前記カバー部材が前記バケットピンから外れた場合、警告音を発生させることを特徴とする請求項１乃至６のいずれか一項に記載の盗難抑止装置。
【請求項８】
請求項１乃至７のいずれか一項に記載の盗難抑止装置を備えることを特徴とするバケットピンユニット。
【請求項９】
前記バケットピンは、前記カバー部材が脱着可能に取り付けられる形状に形成されていることを特徴とする請求項８に記載のバケットピンユニット。
【請求項１０】
前記バケットピンの一端には、前記カバー部材を取り付けるためのネジ山が形成されていることを特徴とする請求項９に記載のバケットピンユニット。
【発明の詳細な説明】
【技術分野】
【０００１】
本発明は、盗難抑止装置及びバケットピンユニットに関する。
【背景技術】
【０００２】
油圧ショベルは、アームの先端にバケットピンによって取り付けられるアタッチメントを交換することによって、穴を掘ったり、建築資材を粉砕したりする等、多様な作業を行うことができる建設機械である。油圧ショベルは、比較的高価な建設機械であり、盗難の対象になりやすいため、盗難抑止の対策が問題となる。これに対して、特許文献１〜３には、運転席近傍にＧＰＳアンテナが取り付けられた油圧ショベルが開示されている。
【先行技術文献】
【特許文献】
【０００３】
【特許文献１】特開２０１３−０８７４６６号公報
【特許文献２】特開２０１０−２１６１３３号公報
【特許文献３】特開２００５−２６７５６８号公報
【発明の概要】
【発明が解決しようとする課題】
【０００４】
特許文献１〜３に記載された技術では、油圧ショベルの盗難を早期に発見したり、盗難発覚後に油圧ショベルの現在位置を特定したりすることが可能になる。しかしながら、バケットピンを引き抜くことで、油圧ショベルから取り外されたアタッチメントが盗難された場合、アタッチメントの盗難を早い段階で発見したり、盗難発覚後にアタッチメントの現在位置を特定したりすることは困難である。
【０００５】
本発明は、上述の事情の下になされたもので、油圧ショベルのアタッチメントの盗難を抑止することができる盗難抑止装置及びバケットピンユニットを提供することを目的とする。
【課題を解決するための手段】
【０００６】
上記目的を達成するため、本発明の第１の観点に係る盗難抑止装置は、
油圧ショベルのアームにアタッチメントを接続するためのバケットピンに取り付けられる前記アタッチメントの盗難抑止装置であって、
位置情報を取得する位置情報取得手段と、取得された前記位置情報に基づく現在位置情報を送信する通信手段と、を有する通信端末と、
前記バケットピンの一端に取り付けられることで、前記バケットピンを前記アーム及び前記アタッチメントから抜け止めするとともに、前記通信端末を覆うカバー部材と、
を備え、
前記通信端末は、前記バケットピンが前記アーム及び前記アタッチメントから引き抜かれることによって、前記カバー部材が前記バケットピンから外れた場合、前記バケットピンが引き抜かれた旨を予め定められた通知先に通知することを特徴とする。
【０００７】
前記カバー部材の内周には、前記バケットピンの一端に形成されたネジ山と係合するネジ山が形成されていてもよい。
【０００８】
前記バケットピンに形成された貫通孔と、前記カバー部材に形成された貫通孔と、を通ることによって、前記バケットピンと前記カバー部材とをロックする施錠部を備えていてもよい。
【０００９】
前記施錠部は、係合穴が形成された錠本体と、前記錠本体から突出し、先端に前記係合穴と係合する係合部が形成されている施錠用ワイヤーと、を有し、
前記施錠用ワイヤーは、前記バケットピンに形成された前記貫通孔と、前記カバー部材に形成された前記貫通孔と、を通ってもよい。
【００１０】
一方が前記通信端末の先端に取り付けられ、他方が前記バケットピンの先端に取り付けられたワイヤーを備え、
前記通信端末は、前記ワイヤーが引っ張られることによって、
前記バケットピンが前記アーム及び前記アタッチメントから引き抜かれたことを検出してもよい。
【００１１】
前記通信端末は、前記通知先である携帯端末に、電子メールによって通知してもよい。
【００１２】
前記通信端末は、前記バケットピンが前記アーム及び前記アタッチメントから引き抜かれることによって、前記カバー部材が前記バケットピンから外れた場合、警告音を発生させてもよい。
【００１３】
本発明の第２の観点に係るバケットピンユニットは、
第１の観点に係る盗難抑止装置を備えることを特徴とする。
【００１４】
前記バケットピンは、前記カバー部材が脱着可能に取り付けられる形状に形成されていてもよい。
【００１５】
前記バケットピンの一端には、前記カバー部材を取り付けるためのネジ山が形成されていてもよい。
【発明の効果】
【００１６】
本発明によれば、アタッチメントを盗難しようとする者が、油圧ショベルのアームからアタッチメントを取り外すために、バケットピンを引き抜こうとすると、カバー部材がバケットピンから外れる。すると、通信端末が、バケットピンが引き抜かれた旨を予め定められた通知先に通知する。これにより、油圧ショベルのユーザ等が、アタッチメントが盗難されようとしていることを早期に知ることができ、結果として、アタッチメントの盗難を抑止することができる。
【図面の簡単な説明】
【００１７】
【図１】本発明の実施形態に係る油圧ショベルを示す模式図である。
【図２】本発明の実施形態に係る油圧ショベルにバケットピンユニットが取り付けられた様子を示す斜視図である。
【図３】本発明の実施形態に係る油圧ショベルにバケットピンユニットが取り付けられる様子を示す分解斜視図である。
【図４】本発明の実施形態に係るバケットピンユニットを示す斜視図である。
【図５】本発明の実施形態に係るバケットピンユニットを示す分解斜視図である。
【図６】本発明の実施形態に係るバケットピンユニットの図４のＡ−Ａ矢視における断面図である。
【図７】（ａ）は、本発明の実施形態に係る油圧ショベルが作業現場に設置されている様子を示す概念図である。（ｂ）は、本発明の実施形態に係る油圧ショベルからアタッチメントが取り外された様子を示す概念図である。
【図８】本発明の実施形態に係るアタッチメントにバケットピンユニットが取り付けられた様子を示す斜視図である。
【発明を実施するための形態】
【００１８】
以下、本発明の実施形態について図面を参照しながら詳細に説明する。なお、理解を容易にするため、ＸＹＺ座標を設定し、適宜参照する。
【００１９】
油圧ショベル１は、図１に示すように、アーム１０と、アーム１０を支持するブーム２０と、無限軌道によって走行する走行装置３０ｂと、オペレータの操作が行われる運転室３０ａと、アーム１０の先端に接続されたアタッチメント４０と、を備える。さらに、油圧ショベル１は、アーム１０とアタッチメント４０とを接続するバケットピンユニット５を備える。運転室３０ａ内のオペレータは、アーム１０、ブーム２０、走行装置３０ｂを操作することによって、油圧ショベル１の移動やアタッチメント４０を用いた採掘等の作業を行う。
【００２０】
アーム１０は、図２及び図３に示すように、板状のアームリンク１５と、板状のバケットリンク１７と、をそれぞれ２つずつ有する。アームリンク１５には、Ｙ軸方向に貫通する貫通孔１５ａが形成されている。バケットリンク１７には、−Ｚ側にフック１７ａが形成されている。アームリンク１５及びバケットリンク１７は、ともに、ＸＺ平面に平行に形成されている。
【００２１】
アタッチメント４０は、角バケットであり、主に採掘作業や土砂の運搬作業に用いられる。アタッチメント４０は、本体である本体部４１と、２つの板状の取付ベース４２と、円柱状の取付ピン４３と、を有する。取付ベース４２は、ＸＺ平面に平行に形成されている。取付ベース４２にはＹ軸方向に貫通する貫通孔４２ａが形成されている。貫通孔４２ａの直径は、貫通孔１５ａの直径と概ね等しい。取付ピン４３は、２つの取付ベース４２の間でＹ軸方向に向けて形成されている。取付ピン４３は、２つの取付ベース４２の間で固定されている。アタッチメント４０は、バケットピン５０が挿入されることによって、アーム１０の先端に接続される。
【００２２】
バケットピンユニット５は、油圧ショベル１とアタッチメント４０とを接続するとともに、油圧ショベル１からアタッチメント４０が盗難されることを防ぐ装置である。バケットピンユニット５は、盗難抑止装置２とバケットピン５０とを備える。
【００２３】
バケットピン５０は、図４及び図５に示すように、一般に流通するバケットピンの表面に、ネジ山５４が新たに形成された部材である。より詳しくは、バケットピン５０は、Ｙ軸方向に延びる円柱状に形成されている。バケットピン５０は、−Ｙ側の端が先細に形成されている。バケットピン５０の長さは、２つの取付ベース４２の間の距離よりも長く形成されている。バケットピン５０の直径は、貫通孔１５ａ、４２ａの直径よりもやや小さく形成されている。バケットピン５０には、＋Ｙ側の端部にフランジ５３が形成されており、−Ｙ側の端部にネジ山５４が円周に沿って形成されている。図６に示すように、フランジ５３の−Ｙ側からネジ山５４の＋Ｙ側までの長さＬは、２つの取付ベース４２の間の距離と概ね等しい。バケットピン５０には、−Ｙ側の端部に、Ｚ軸方向に貫通する貫通孔５１、５２が形成されている。一般に流通するバケットピンにおいては、貫通孔５１、５２は、バケットピンが貫通孔１５ａ、４２ａに挿入された後で、バケットピンが貫通孔１５ａ、４２ａから抜けないように、Ｚ軸方向に延びる円柱状の抜け止めピンが挿入されるために使用される。本実施形態においては、貫通孔５１、５２に抜け止めピンは挿入されない。
【００２４】
図２及び図３に戻り、バケットピン５０は、取付ピン４３がフック１７ａに取り付けられた状態で、バケットピン５０が貫通孔１５ａ、４２ａを通ることによって、アタッチメント４０はアーム１０の先端に接続されている。ネジ山５４を含むバケットピン５０の＋Ｙ側の端部は、取付ベース４２から突出している。
【００２５】
盗難抑止装置２は、アタッチメント４０の盗難抑止、又は、アタッチメント４０が盗難された場合の位置特定を行うための装置である。盗難抑止装置２は、ネジ山５４を含むバケットピン５０の＋Ｙ側の端部に取り付けられている。盗難抑止装置２は、図４及び図５に示すように、＋Ｙ側に開口する円筒状のカバー部材７０と、カバー部材７０とアタッチメント４０とを施錠するワイヤーロック８０と、カバー部材７０の内部底面に取り付けられた通信端末９０と、を有する。
【００２６】
通信端末９０は、一般に流通する携帯端末である。通信端末９０は、ＧＰＳ（Ｇｌｏｂａｌ  Ｐｏｓｉｔｉｏｎｉｎｇ  Ｓｙｓｔｅｍ）衛星３からの位置情報を取得し、現在位置情報を演算する機能を有する。通信端末９０は、演算された現在位置情報を、順次、基地局４を介して携帯端末６に送信する。
【００２７】
通信端末９０の＋Ｚ側には、ストラップホールが形成されたストラップ取付部９１が突出している。通信端末９０は、ストラップ取付部９１が引っ張られると、防犯ブザーを鳴らすとともに、携帯端末６に電子メールを送信する機能を有する。ストラップ取付部９１の先端には、ワイヤー９９が結びつけられている。これにより、ワイヤー９９を引っ張ることにより、離れた場所からストラップ取付部９１を引っ張ることができる。盗難の際、バケットピン５０をアーム１０及びアタッチメント４０から引き抜くには、カバー部材７０をバケットピン５０から取り外す必要があり、この際、ワイヤー９９が引っ張られる。このため、通信端末９０は、ワイヤー９９が引っ張られること、すなわち、カバー部材７０がバケットピン５０から取り外されたことによって、バケットピン５０がアーム１０及びアタッチメント４０から引き抜かれたことを検出する。ワイヤー９９の先端部は、テープ９２で貼り付けられることによって、バケットピン５０の−Ｙ側の面に取り付けられている。携帯端末６のメールアドレスは、通信端末９０が有する記憶領域に予め登録されている。
【００２８】
カバー部材７０は、プラスチック樹脂から形成されており、アタッチメント４０の＋Ｙ側の端部を覆っている。カバー部材７０の開口部には、内周に沿ったネジ山７１が形成されている。ネジ山７１とネジ山５４とが係合することにより、カバー部材７０はバケットピン５０に取り付けられている。カバー部材７０の直径は、貫通孔４２ａの直径よりも大きく形成されている。カバー部材７０は、バケットピン５０をアーム１０及びアタッチメント４０から抜けるのを防ぐ。このため、カバー部材７０を取り外さない限り、油圧ショベル１からバケットピン５０を取り外すことはできない。カバー部材７０の＋Ｚ側及び−Ｚ側の表面には、Ｚ軸方向に貫通する貫通孔７２がそれぞれ形成されている。貫通孔７２は、ＸＹ平面における貫通孔５１の位置と一致している。カバー部材７０の内部の底面には、通信端末９０がネジ留めによって固定されている。これにより、通信端末９０は、雨水等が入り込むことによる故障を防止することができる。
【００２９】
ワイヤーロック８０は、一般に流通する錠前であり、自転車の施錠等に利用される。ワイヤーロック８０は、＋Ｚ側に鍵穴が形成されている直方体形状の錠本体８４と、錠本体８４の＋Ｘ側から延びる施錠用ワイヤー８２と、施錠用ワイヤー８２の先端に固定されている係合部８１と、を有する。施錠用ワイヤー８２は、図６に示すように、貫通孔５１、７２を通る。さらに、係合部８１が錠本体８４の−Ｚ側の面に形成されている係合穴に係合することにより、ワイヤーロック８０は、バケットピン５０とカバー部材７０とを施錠している。
【００３０】
以下、バケットピンユニット５が実行する作用について、図７（ａ）（ｂ）を参照して詳細に説明する。
【００３１】
まず、バケットピンユニット５が有する通信端末９０は、図７（ａ）に示すように、ＧＰＳ衛星３からの位置情報を取得する。そして、通信端末９０は、現在位置情報を演算する。通信端末９０は、演算された現在位置情報を、順次、基地局４を介して携帯端末６に送信する。これにより、携帯端末６のユーザは、通信端末９０が取り付けられた油圧ショベル１の現在位置情報を確認することができる。
【００３２】
施錠用ワイヤー８２がワイヤーカッター等によって切断され、バケットピン５０からカバー部材７０が取り外される場合、ワイヤー９９が引っ張られる。ワイヤー９９が引っ張られると、通信端末９０は、図７（ｂ）に示すように、防犯ブザーを鳴らすとともに、携帯端末６に電子メールを送信する。これにより、通信端末９０は、アタッチメント４０を盗難しようとする犯人を威嚇するとともに、周囲に異常事態に発生を知らせることができる。また、通信端末９０は、携帯端末６のユーザに、異常事態の発生を知らせることができる。
【００３３】
通信端末９０は、ワイヤー９９が引っ張られた後も、演算された現在位置情報を、順次、基地局４を介して携帯端末６に送信し続ける。
【００３４】
以上、説明したように、本実施形態では、アタッチメント４０の盗難抑止装置２は、油圧ショベル１のアーム１０にアタッチメント４０を接続するためのバケットピン５０に取り付けられる。盗難抑止装置２は、通信端末９０とカバー部材７０とを備える。通信端末９０は、位置情報を取得する位置情報取得手段と、取得された位置情報に基づく現在位置情報を送信する通信手段と、を有する。カバー部材７０は、バケットピン５０の一端に取り付けられることで、バケットピン５０をアーム１０及びアタッチメント４０から抜け止めするとともに、通信端末９０を覆う。
【００３５】
アタッチメント４０は油圧ショベル１の一部品であるため、一般的には製造番号等が付与されない。このため、アタッチメント４０から油圧ショベル１のユーザを特定することが困難であることから、盗難されたアタッチメント４０を転売することは比較的容易である。このような事情により、アタッチメント４０は盗難される対象となりやすい。
【００３６】
アタッチメント４０を盗難しようとする者が、油圧ショベル１のアーム１０からアタッチメント４０を取り外すために、バケットピン５０を引き抜こうとすると、カバー部材７０がバケットピン５０から外れる。すると、通信端末９０が、電子メールによって、バケットピン５０が引き抜かれた旨を携帯端末６に通知する。携帯端末６のメールアドレスは、通信端末９０が有する記憶領域に予め登録されている。これにより、携帯端末６のユーザは、アタッチメント４０が盗難されようとしていることを早期に知ることができ、結果として、アタッチメント４０の盗難を抑止することができる。
【００３７】
また、カバー部材７０を外さずに、アタッチメント４０が取り付けられたまま油圧ショベル１が盗難される場合であっても、通信端末９０は、携帯端末６に現在位置情報を送信する。このため、携帯端末６のユーザは、通信端末９０が取り付けられた油圧ショベル１の現在位置を特定することができる。
【００３８】
また、図８に示すように、油圧ショベル１に取り付けられていない状態のアタッチメント６０が盗難される場合であっても、盗難抑止装置２の通信端末９０は、携帯端末６に現在位置情報を送信する。作業現場ではアタッチメント６０が使用される際にバケットピン５０が使用される必要があるため、アタッチメント６０はバケットピン５０とともに盗難されるのが一般的である。このため、携帯端末６のユーザは、通信端末９０が取り付けられたアタッチメント６０の現在位置を特定することができる。
【００３９】
カバー部材７０の内周には、バケットピン５０の一端に形成されたネジ山５４と係合するネジ山７１が形成されている。これにより、バケットピン５０及びカバー部材７０に簡易な加工を施すことによって、カバー部材７０をバケットピン５０に取り付けることができる。
【００４０】
盗難抑止装置２は、バケットピン５０に形成された貫通孔５１と、カバー部材７０に形成された貫通孔７２と、を通ることによって、バケットピン５０とカバー部材７０とをロックするワイヤーロック８０を備える。これにより、盗難抑止装置２の近くを通りがかった人間が不注意にカバー７０を取り外すことがなくなる。
【００４１】
盗難抑止装置２は、ワイヤー９９が引っ張られることによって、バケットピン５０がアーム１０及びアタッチメント４０から引き抜かれたことを検出する。これにより、盗難抑止装置２は、簡易な方法で、バケットピン５０がアーム１０及びアタッチメント４０から引き抜かれたことを検出することができる。
【００４２】
通信端末９０は、通知先である携帯端末６に、電子メールによって通知する。これにより、携帯端末６のユーザは、異常事態の発生を知ることができる。
【００４３】
通信端末９０は、バケットピン５０がアーム１０及びアタッチメント４０から引き抜かれることによって、カバー部材７０がバケットピン５０から外れた場合、警告音を発生させる。これにより、アタッチメント４０を盗難しようとする犯人を威嚇するとともに、周囲に異常事態に発生を知らせることができる。
【００４４】
バケットピン５０の一端には、カバー部材７０に形成されたネジ山７１と係合するネジ山５４が形成されている。これにより、バケットピン５０及びカバー部材７０に簡易な加工を施すことによって、カバー部材７０をバケットピン５０に取り付けることができる。
【００４５】
バケットピン５０は、一般に流通しているバケットピンにネジ山５４が形成されることにより、形成されている。また、施錠用ワイヤー８２が通る貫通孔５１は、一般に流通するバケットピンに形成されている貫通孔である。これにより、一般に流通しているバケットピンに、ネジ山５４を形成するだけで、バケットピン５０を形成することができる。
【００４６】
以上、本発明の実施形態について説明したが、本発明は、上記実施形態によって限定されるものではない。例えば、以下のように変形して実施することもできる。
【００４７】
上述した実施形態では、角バケットであるアタッチメント４０を説明した。しかしながら、油圧ショベルに使用されるアタッチメントであればよく、アタッチメントは角バケットに限られない。例えば、図８に示すように、フォークであるアタッチメント６０であってもよい。アタッチメント６０は、主に、部材を掴んだり、部材を粉砕するために使用される。アタッチメント６０は、本体であるフォーク本体６１と、ＸＺ平面に平行に形成されている２つの板状の取付ベース６２と、２つの取付ベース６２の間でＹ軸方向に延びる円柱状の取付ピン６３と、を有する。取付ベース６２と取付ピン６３は、取付ベース４２と取付ピン４３と同等の役割を有する。
【００４８】
上述した実施形態では、通信端末９０が、ＧＰＳ衛星３から受信した位置情報を演算することによって、現在位置情報を算出していた。しかしながら、位置情報を演算するのは、通信端末９０に限られず、基地局４や携帯端末６であってもよい。例えば、通信端末９０は、基地局４に対してＧＰＳ衛星３から受信した位置情報をそのまま送信し、携帯端末６が現在位置情報を算出してもよい。
【００４９】
上述した実施形態では、バケットピン５０とカバー部材７０とを施錠するにあたって、ワイヤーロック８０が用いられていた。しかしながら、バケットピン５０とカバー部材７０とを施錠する錠前であれば、これに限られず、例えば、南京錠であってもよい。
【００５０】
上述した実施形態では、バケットピン５０とカバー部材７０に、それぞれネジ山５４、７１が形成されていた。しかしながら、カバー部材７０をバケットピン５０に取り付けることができる構造であれば、これに限定されない。例えば、凸部が形成されたカバー部材７０が、凹部が形成されたバケットピン５０に取り付けられてもよい。これにより、一般に流通するバケットピンを簡易な切削加工をすることによって凹部を形成するだけで、バケットピン５０にカバー部材７０を取り付ける構造を形成することができる。
【００５１】
上述した実施形態では、通信部９０は、基地局４を介して、現在位置情報を携帯端末６に送信していた。しかしながら、これに限定されず、通信端末９０は、基地局４を介して、現在位置情報を管理サーバに送信してもよい。これにより、現在位置情報は、複数の端末から参照されることが可能となる。
【００５２】
上述した実施形態では、通信端末９０は、カバー部材７０がバケットピン５０から取り外されたことを検出した場合に、携帯端末６に電子メールを送信していた。しかしながら、これに限定されず、現在位置情報が所定の範囲から外れた場合に、携帯端末６に電子メールを送信してもよい。これにより、油圧ショベル１がそのまま盗難された場合に、早い段階で盗難に気付くことができる。同様に、油圧ショベル１に取り付けられていない状態のアタッチメント６０が盗難された場合に、早い段階で盗難に気付くことができる。
【００５３】
上述した実施形態では、ワイヤー９９の先端部は、テープ９２によって、バケットピン５０の−Ｙ側の面に貼り付けられていた。しかしながら、ワイヤー９９の先端部とバケットピン５０を固定することができれば、これに限定されない。例えば、ワイヤー９９の先端部は、接着剤によって、バケットピン５０の−Ｙ側の面に貼り付けられていてもよい。又は、ワイヤー９９の先端部に輪を形成し、さらに当該輪が貫通孔５２を通るように、ワイヤー９９を結んでもよい。
【００５４】
本発明は、本発明の広義の精神と範囲を逸脱することなく、様々な実施形態及び変形が可能とされるものである。上述した実施形態は、本発明を説明するためのものであり、本発明の範囲を限定するものではない。
【符号の説明】
【００５５】
１  油圧ショベル
２  盗難抑止装置
３  ＧＰＳ衛星
４  基地局
５  バケットピンユニット
６  携帯端末
１０  アーム
１５  アームリンク
１５ａ  貫通孔
１７  バケットリンク
１７ａ  フック
２０  ブーム
３０ａ  運転室
３０ｂ  走行装置
４０  アタッチメント
４１  本体部
４２  取付ベース
４２ａ  貫通孔
４３  取付ピン
５０  バケットピン
５１  貫通孔
５２  貫通孔
５３  フランジ
５４  ネジ山
６０  アタッチメント
６１  フォーク本体
６２  取付ベース
６３  取付ピン
７０  カバー部材
７１  ネジ山
７２  貫通孔
７３  開口部
８０  ワイヤーロック
８１  係合部
８２  施錠用ワイヤー
８３  鍵穴
８４  錠本体
９０  通信端末
９１  ストラップ取付部
９２  テープ
９９  ワイヤー
Ｌ  長さ
【要約】
【課題】油圧ショベルのアタッチメントの盗難を抑止する。
【解決手段】盗難防止装置２は、油圧ショベルのアーム１０にアタッチメント４０を接続するためのバケットピン５０に取り付けられるアタッチメント４０の盗難を抑止する。盗難防止装置２は、位置情報を取得する位置情報取得手段と、取得された位置情報に基づく現在位置情報を送信する通信手段と、を有する通信端末と、を備える。盗難防止装置２は、さらに、バケットピン５０の一端に取り付けられることで、バケットピン５０をアーム１０及びアタッチメント４０から抜け止めするとともに、通信端末を覆うカバー部材７０を備える。通信端末は、バケットピン５０がアーム１０及びアタッチメント４０から引き抜かれることによって、カバー部材７０がバケットピン５０から外れた場合、バケットピン５０が引き抜かれた旨を予め定められた通知先に通知する。
【選択図】図２【図１】
0005680785.tif 000002
【図２】
0005680785.tif 000003
【図３】
0005680785.tif 000004
【図４】
0005680785.tif 000005
【図５】
0005680785.tif 000006
【図６】
0005680785.tif 000007
【図７】
0005680785.tif 000008
【図８】
0005680785.tif 000009